(57)【要約】【課題】医療の専門書、薬品の専門書などを調べることなく速やかに医療情報を得ることができる生体監視装置を提供する。【解決手段】医療情報表示用入力装置６６が操作されると、医療情報表示手段７０により、参照波形表示場所ＲＤＰ1乃至ＲＤＰ3に表示させられた参照波形が示す症例に関連する対応方法、対処方法、薬剤情報などの医療情報が医療情報記憶装置６８から読み出され、表示画面２６内の医療情報表示場所ＩＰに表示されることから、専門知識の有無に拘わらず、生体に対する医療処置を正確に行うことができる。【選択図】図２
2007090088.tif 000002
【特許請求の範囲】
【請求項１】
生体情報を表す生体情報波形を検出する生体情報波形検出装置と、該生体情報波形検出装置により検出された生体情報波形を予め定められた生体情報波形表示場所に表示する表示装置とを備え、該表示装置に表示された生体情報波形に基づいて生体を監視する生体監視装置であって、
複数種類の生体の症例に対応する複数種類の医療情報を記憶する医療情報記憶装置と、
前記表示装置に設けられた所定の医療情報表示場所に前記医療情報を表示させるために手動により入力操作される医療情報表示用入力装置と、
該医療情報表示用入力装置の入力操作に応答して所定の医療情報を前記医療情報記憶装置から読み出し、前記医療情報表示場所に順次表示させる医療情報表示手段と
を、含むことを特徴とする生体監視装置。
【発明の詳細な説明】
【技術分野】
【０００１】
本発明は、生体情報を示す生体情報波形を表示する機能を備えた生体監視装置に関するものである。
【背景技術】
【０００２】
生体情報を表す生体情報波形を検出する生体情報波形検出装置と、その生体情報波形検出装置により検出された生体情報波形を予め定められた生体情報波形表示場所に表示する表示装置とを備え、その表示装置に表示された生体情報波形に基づいて生体を監視する生体監視装置が知られている。たとえば、手術室、集中治療室、或いは病棟などにおいて用いられている患者監視装置がそれである。このような患者監視装置では、たとえば患者の心電誘導波形、トノメトリーにより間接的に検出された連続血圧波形、カテーテルを用いて検出された直接法による血圧波形、呼気ガス中の炭酸ガス濃度波形（カプノグラム）、呼気ガス中の酸素濃度波形（オキシグラム）などの生体情報を示す生体情報波形が表示装置の画面に表示され、患者の循環器や呼吸器の診断、すなわち作動状態の監視や症例の判断が行われる。
【発明の開示】
【発明が解決しようとする課題】
【０００３】
ところで、上記生体情報波形に基づく診断は、生体情報波形に表れる種々の特徴波形を基礎として行われるものであるが、その特徴波形の認識は比較的熟練を要する場合があり、しかも今まで経験していないか或いは稀にしか接しない症状の特徴波形は確信を以て診断することが難しく、専門医による分析を必要とする場合が多い。また、診断ができたとしても、特定の症例に関する対応方法、対処方法、或いは薬剤情報などの医療情報を充分に持ち合わせていない可能性もある。このため、特に、専門医のいない中小の病院では、従来の監視装置を用いると、診断の決定或いは医療情報の入手に時間がかかり、医療処置が遅れるおそれがあった。
【０００４】
本発明は以上の事情を背景として為されたものであり、その目的とするところは、診断の決定或いは医療情報の入手が速やかとなり、医療処置を速やかに行うことができるようにした生体監視装置を提供することにある。
【課題を解決するための手段】
【０００５】
上記目的を達成するために、本発明のある局面に従うと、生体監視装置は、生体情報を表す生体情報波形を検出する生体情報波形検出装置と、その生体情報波形検出装置により検出された生体情報波形を予め定められた生体情報波形表示場所に表示する表示装置とを備え、その表示装置に表示された生体情報波形に基づいて生体を監視する生体監視装置であって、（ａ）複数種類の生体の症例に対応する複数種類の医療情報を記憶する医療情報記憶装置と、（ｂ）前記表示装置に設けられた所定の医療情報表示場所に前記医療情報を表示させるために手動により入力操作される医療情報表示用入力装置と、（ｃ）その医療情報表示用入力装置の入力操作に応答して所定の医療情報を前記医療情報記憶装置から読み出し、前記医療情報表示場所に順次表示させる医療情報表示手段とを、含むことにある。
【発明の効果】
【０００６】
このようにすれば、医療情報表示手段により、医療情報表示用入力装置の入力操作に応答して、所定の医療情報が前記医療情報記憶装置から読み出されて前記医療情報表示場所に順次表示させられる。したがって、監視者は、所定の症例の対応方法、対処方法、薬剤情報などの医療情報を必要とするときには、医療の専門書、薬品の専門書などを調べることなく上記医療情報表示用入力装置を操作することにより、速やかに医療情報を得ることができるので、専門的知識を持ち合わせなくても生体の種々の症状に対する医療処置を速やかに行うことができるようになる。
【発明を実施するための最良の形態】
【０００７】
以下、本発明の一実施例を図面に基づいて詳細に説明する。図１は、本発明が適用された生体監視装置１０の構成を説明する図である。図において、生体監視装置１０は、複数種類の生体情報を表す生体情報波形をそれぞれ検出する生体情報波形検出装置を以下のように備えている。たとえば、心電誘導装置１２は、生体の皮膚に貼着される図示しない電極を通して生体の心電誘導波形ＥＣＧを検出し、その心電誘導波形ＥＣＧを表す信号を電子制御装置２２へ供給する。トノメトリー装置１４は、生体の撓骨動脈に押圧された図示しない圧力センサからの信号に基づいて生体の連続血圧波形ＢＰTを間接的に検出し、その連続血圧波形ＢＰTを表す信号を電子制御装置２２へ供給する。直接血圧測定装置１６は、中心動脈、左心房、肺動脈などの動脈内に挿入される図示しないカテーテルを用いて動脈内の連続血圧波形ＢＰDを直接的に検出し、その連続血圧波形ＢＰDを表す信号を電子制御装置２２へ供給する。カプノメータ１８は、たとえば麻酔中の生体から吐出される呼気ガス中の炭酸ガス濃度の周期的変化を示す炭酸ガス濃度波形ＧCO2を検出し、その炭酸ガス濃度波形ＧCO2を表す信号を電子制御装置２２へ供給する。酸素濃度測定装置２０は、たとえば麻酔中の生体から吐出される呼気ガス中の酸素ガス濃度の周期的変化を示す酸素ガス濃度波形ＧO2を検出し、その酸素ガス濃度波形ＧO2を表す信号を電子制御装置２２へ供給する。
【０００８】
表示装置２４は、表示画面２６および複数個（本実施例では６個）のファンクションキー２８を備えている。その表示画面２６内には、上記心電誘導装置１２、トノメトリー装置１４、直接血圧測定装置１６、カプノメータ１８、酸素濃度測定装置２０によりそれぞれ検出された生体情報波形を表示するための生体情報波形表示場所ＤＰ1乃至ＤＰ4が設けられているとともに、上記ファンクションキー２８の機能を表示する表示場所ＤＦ1乃至ＤＦ6が表示画面２６内の下部すなわち各ファンクションキー２８の上側位置にそれぞれ設けられている。上記各波形表示場所ＤＰ1乃至ＤＰ4においては、各生体情報波形の大きさを示す振幅（縦）軸と表示画面２６の長辺に平行な共通の時間（横）軸との二次元座標内において各生体情報波形が表示されるようになっている。したがって、各生体情報波形は、実質的に共通の時間軸に沿って表示されるようになっている。この時間（横）軸はたとえば図３、図４、図５において二点鎖線に示すものであるが図示されなくてもよい。
【０００９】
外部記憶装置３０は、着脱可能に装着されるメモリカード３２を備えている。このメモリカード３２は、たとえばＩＣを内蔵したものであって、各生体情報波形の症例を示す参照波形がその生体情報波形の種類毎に複数種類記憶されているとともに、複数種類の各症例に関する対応方法、処置方法、或いは薬剤情報がそれぞれ記憶されている。また、音声出力装置３４は、信号を音に変換するスピーカ３６を備え、電子制御装置２２から供給される信号に対応する音声を出力する。
【００１０】
前記電子制御装置２２は、Ａ／Ｄ変換器３８、ＣＰＵ４０、ＲＡＭ４２、ＲＯＭ４４などを備えた所謂マイクロコンピュータであって、ＣＰＵ４０は、予めＲＯＭ４４に記憶されたプログラムに従って入力信号を処理し、図３、図４、図５に示すように、上記心電誘導波形ＥＣＧを表示画面２６に設定された生体情報波形表示場所ＤＰ1に、連続血圧波形ＢＰTを生体情報波形表示場所ＤＰ2に、連続血圧波形ＢＰDを生体情報波形表示場所ＤＰ3に、炭酸ガス濃度波形ＧCO2および酸素ガス濃度波形ＧO2を生体情報波形表示場所ＤＰ4にそれぞれ表示させるとともに、所定の条件が成立した場合には、メモリカード３２に記憶されている参照波形を読み出して、表示装置２４の表示画面２６に、実際の生体情報波形と対比可能に表示させる。また、上記ＣＰＵ４０は、前記ファンクションキー２８による医療情報表示操作が行われると、メモリカード３２に記憶されている医療情報を読み出して、表示装置２４の表示画面２６のうち、予め設定された医療情報表示場所ＩＰに表示させる。
【００１１】
図２は、上記電子制御装置２２の制御機能を説明する機能ブロック線図である。図において、生体情報波形検出手段５０は、前記心電誘導装置１２、トノメトリー装置１４、直接血圧測定装置１６、カプノメータ１８、酸素濃度測定装置２０に対応するものであって、心電誘導波形ＥＣＧ、連続血圧波形ＢＰT、連続血圧波形ＢＰD、炭酸ガス濃度波形ＧCO2、および酸素ガス濃度波形ＧO2のような生体情報波形を検出する。生体情報波形表示手段５２は、図３、図４、図５に示すように、上記心電誘導波形ＥＣＧを表示画面２６に設定された生体情報波形表示場所ＤＰ1に、連続血圧波形ＢＰTを生体情報波形表示場所ＤＰ2に、連続血圧波形ＢＰDを生体情報波形表示場所ＤＰ3に、炭酸ガス濃度波形ＧCO2および酸素ガス濃度波形ＧO2を生体情報波形表示場所ＤＰ4に、前記時間軸と振幅軸とからなる二次元座標内となるように、それぞれ表示させる。
【００１２】
波形異常判定手段５４は、上記生体情報波形検出手段５０により検出された心電誘導波形ＥＣＧ、連続血圧波形ＢＰT、連続血圧波形ＢＰD、炭酸ガス濃度波形ＧCO2、および酸素ガス濃度波形ＧO2のいずれかが予め設定された標準波形範囲を逸脱した異常波形であるか否かを判定する。たとえば、心電誘導波形ＥＣＧでは、Ｐ波、Ｑ波、Ｒ波、Ｓ波、Ｔ波のうちのＰ波およびＱ波が存在しない異常波形であるか、連続血圧波形ＢＰTの降下スロープの傾斜が急となる異常波形であるか、炭酸ガス濃度波形ＧCO2の振幅が急に減少した異常波形であるか否かが判定される。
【００１３】
モード判定手段５６は、たとえばファンクションキー２８の操作によって、生体情報波形が異常である場合には自動的に参照波形が表示される自動モードと手動操作により参照波形が表示される手動モードとのいずれが選択されているかを判定する。参照波形記憶装置５８は、前記外部記憶装置３０に対応するものであり、各生体情報波形の症例を示す参照波形をその生体情報波形の種類毎に複数種類記憶している。参照波形表示用入力装置６０は、図３、図４、或いは図５に示すように、前記ファンクションキー２８の機能を表示する表示場所ＤＦ1乃至ＤＦ4に参照波形の種類が表示されたときの各ファンクションキー２８に対応するものであり、参照波形表示場所ＲＤＰ1乃至ＲＤＰ3に表示させるべき参照波形の種類を指定するために入力操作される。
【００１４】
参照波形表示手段６２は、上記モード判定手段５６により手動モードが選択されていると判定されているときは、上記参照波形表示用入力装置６０により入力操作された参照波形を参照波形記憶装置５８から読み出して、参照波形表示場所ＲＤＰ1乃至ＲＤＰ3に表示させる。たとえば、参照波形表示用入力装置６０によりＥＣＧ参照波形を指令する入力操作が行われた場合には、図３に示すように、実際の心電誘導波形ＥＣＧを表示させるための生体情報波形表示場所ＤＰ1に隣接する生体情報波形表示場所ＤＰ2およびＤＰ3の位置に参照波形表示場所ＲＤＰ1が設けられ、その参照波形表示場所ＲＤＰ1に、不整脈すなわちＶＰＣショートランの症例を示す参照用心電誘導波形ＲＥＣＧとその症例の名称ＭECGとが、生体情報波形表示場所ＤＰ1に表示された実際の心電誘導波形ＥＣＧの周期と同期した波形でその心電誘導波形ＥＣＧと対比可能に並列した状態で表示される。上記ＥＣＧ参照波形を指令する入力操作が再度行われた場合には、他の種類の参照波形たとえば心室細動の症例、心房細動の症例、心停止の症例などを示す参照用心電誘導波形ＲＥＣＧがその症例の名称と共に入力操作毎に順に表示される。また、参照波形表示用入力装置６０により血圧参照波形を指令する入力操作が行われた場合には、図４に示すように、実際の連続血圧波形ＢＰTを表示させるための生体情報波形表示場所ＤＰ2に隣接する生体情報波形表示場所ＤＰ4の位置に参照波形表示場所ＲＤＰ2が設けられ、その参照波形表示場所ＲＤＰ2に、重度の動脈硬化の症例を示す参照用連続血圧波形ＲＢＰTとその症例の名称ＭBPTとが、生体情報波形表示場所ＤＰ2に表示された実際の連続血圧波形ＢＰTの周期と同期した波形でその連続血圧波形ＢＰTと対比可能に並列した状態で表示される。上記血圧参照波形を指令する入力操作が再度行われた場合には、他の種類の参照波形たとえば循環量減少の症例、末梢抵抗増加の症例、心筋機能低下の症例などを示す参照用連続血圧波形ＲＢＰTがその症例の名称と共に入力操作毎に順に表示される。さらに、参照波形表示用入力装置６０によりカプノ参照波形を指令する入力操作が行われた場合には、図５に示すように、実際の炭酸ガス濃度波形ＧCO2を表示させるための生体情報波形表示場所ＤＰ4に隣接する生体情報波形表示場所ＤＰ2およびＤＰ3の位置に参照波形表示場所ＲＤＰ3が設けられ、その参照波形表示場所ＲＤＰ3に、過換気の症例を示す参照用炭酸ガス濃度波形ＲＧCO2とその症例の名称ＭGCO2とが、生体情報波形表示場所ＤＰ4に表示された実際の炭酸ガス濃度波形ＧCO2の周期と同期した波形でその炭酸ガス濃度波形ＧCO2と対比可能に並列した状態で表示される。
【００１５】
また、上記参照波形表示手段６２は、上記モード判定手段５６により自動モードが選択されていると判定されているときは、前記波形異常判定手段５４により異常と判定された生体情報波形に対応する参照波形を参照波形表示場所ＲＤＰ1乃至ＲＤＰ3に表示させる。たとえば、波形異常判定手段５４により実際の心電誘導波形ＥＣＧが異常と判定された場合には、図３に示すように、参照波形表示場所ＲＤＰ1に、不整脈すなわちＶＰＣショートランの症例を示す参照用心電誘導波形ＲＥＣＧとその症例の名称ＭECGとが心電誘導波形ＥＣＧと対比可能に並列した状態で表示されるとともに、一定時間が経過すると、次の他の種類の参照波形たとえば心室細動の症例、心房細動の症例、心停止の症例を示す参照用心電誘導波形ＲＥＣＧがその症例の名称と共に順次表示される。また、波形異常判定手段５４により実際の連続血圧波形ＢＰTが異常と判定された場合には、図４に示すように、参照波形表示場所ＲＤＰ2に、重度の動脈硬化の症例を示す参照用連続血圧波形ＲＢＰTとその症例の名称ＭBPTとが、その連続血圧波形ＢＰTと対比可能に並列した状態で表示されるとともに、一定時間が経過すると、次の他の種類の参照波形たとえば循環量減少の症例、末梢抵抗増加の症例、心筋機能低下の症例などを示す参照用連続血圧波形ＲＢＰTがその症例の名称と共に順次表示される。さらに、波形異常判定手段５４により実際の炭酸ガス濃度波形ＧCO2の異常と判定された場合には、図５に示すように、参照波形表示場所ＲＤＰ3に、過換気の症例を示す参照用炭酸ガス濃度波形ＲＧCO2とその症例の名称ＭGCO2とが、その炭酸ガス濃度波形ＧCO2と対比可能に並列した状態で表示される。
【００１６】
医療情報表示用入力装置６６は、図３、図４、或いは図５に示すように、前記ファンクションキー２８の機能を表示する表示場所ＤＦ5に「医療情報」の表示文字が表示されたときのその表示場所ＤＦ5の直下に位置するファンクションキー２８に対応するものであり、参照波形表示場所ＲＤＰ1乃至ＲＤＰ3に表示させられた参照波形が示す症例に関連する医療情報、たとえば対応方法、対処方法、薬剤情報を医療情報表示場所ＩＰに表示させるために入力操作される。医療情報記憶装置６８は、前記外部記憶装置３０に対応するものであり、複数種類の生体の症例に対応する複数種類の医療情報を記憶する。
【００１７】
医療情報表示手段７０は、上記医療情報表示用入力装置６６の入力操作に応答して、参照波形表示場所ＲＤＰ1乃至ＲＤＰ3のいずれかに表示されている参照波形が示す症例に関連する医療情報を上記医療情報記憶装置６８から読み出し、表示画面２６内の医療情報表示場所ＩＰに表示させる。たとえば、参照波形表示場所ＲＤＰ2に心筋機能低下の症例を示す参照波形が表示されている場合には、その心筋機能低下に関連する対応方法、対処方法、薬剤情報が医療情報表示場所ＩＰに表示され、また、参照波形表示場所ＲＤＰ2に末梢抵抗増加の症例を示す参照波形が表示されている場合には、その心筋機能低下に関連する対応方法、対処方法、薬剤情報が医療情報表示場所ＩＰに表示される。
【００１８】
図６は、前記電子制御装置２２の制御作動の要部を説明するフローチャートである。なお、前記生体情報波形表示手段５２に対応する作動はよく知られたものであるので省略されている。この生体情報波形表示手段５２の作動により、表示装置２４の表示画面２６には、図３、図４、図５の参照波形表示場所ＲＤＰ1乃至ＲＤＰ3が除去された画面、すなわち各生体情報波形表示場所ＤＰ1乃至ＤＰ4に心電誘導波形ＥＣＧ、連続血圧波形ＢＰT、連続血圧波形ＢＰD、炭酸ガス濃度波形ＧCO2、および酸素ガス濃度波形ＧO2が表示された画面である基本画面が表示される。
【００１９】
図６において、ステップ（以下、ステップを省略する）ＳＡ１では、メモリカード３２が外部記憶装置３０に装着されているか否かが判断される。このＳＡ１の判断が否定された場合は、参照波形表示ができないので本ルーチンが終了させられるが、ＳＡ１の判断が肯定された場合は、前記モード判定手段５６に対応するＳＡ２において、手動モードであるか否かが判断される。手動モードが選択されている場合は上記ＳＡ２の判断が肯定されるので、ＳＡ３において、外部記憶装置３０に装着されているメモリカード３２に記憶されている参照波形の種類を表示場所ＤＦ1乃至ＤＦ4にそれぞれ表示させる。
【００２０】
次いで、ＳＡ４では、ファンクションキー２８により、参照波形選択入力操作が行われたか否かが判断される。このＳＡ４の判断が否定された場合は、ＳＡ６以下が実行される。しかし、たとえば心電誘導波形ＥＣＧ、連続血圧波形ＢＰT、連続血圧波形ＢＰD、炭酸ガス濃度波形ＧCO2、および酸素ガス濃度波形ＧO2のいずれかに異常な特徴波形が監視者により認識され、その異常な特徴波形が認識された生体情報波形の参照波形を表示させるためにファンクションキー２８が操作されると、上記ＳＡ４の判断が肯定されるので、ＳＡ５において、たとえば図３、図４、或いは図５に示すように、上記ファンクションキー２８により選択された参照波形が参照波形表示場所ＲＤＰ1乃至ＲＤＰ3のいずれかに表示される。
【００２１】
次いで、ＳＡ６では、ファンクションキー２８の機能を表示する表示場所ＤＦ5に「医療情報」の表示文字が表示されたときのその表示場所ＤＦ5の直下に位置するファンクションキー２８により、医療情報、たとえば対応方法、対処方法、薬剤情報を医療情報表示場所ＩＰに表示させるために入力操作が行われたか否かが判断される。このＳＡ６の判断が否定された場合はＳＡ１１が直接実行されるが、肯定された場合は、前記医療情報表示手段７０に対応するＳＡ７において、参照波形表示場所ＲＤＰ1乃至ＲＤＰ3のいずれかに表示されている参照波形が示す症例に関連する医療情報が上記医療情報記憶装置６８（外部記憶装置３０）から読み出されて表示画面２６内の医療情報表示場所ＩＰに表示される。たとえば、参照波形表示場所ＲＤＰ2に心筋機能低下の症例を示す参照波形が表示されている場合には、その心筋機能低下に関連する対応方法、対処方法、薬剤情報が医療情報表示場所ＩＰに表示され、また、参照波形表示場所ＲＤＰ2に末梢抵抗増加の症例を示す参照波形が表示されている場合には、その心筋機能低下に関連する対応方法、対処方法、薬剤情報が医療情報表示場所ＩＰに表示される。
【００２２】
そして、ＳＡ１１では、図示しない復帰釦の操作により、基本画面への復帰操作が行われたか否かが判断される。このＳＡ１１の判断が否定された場合は本ルーチンが終了されて、参照波形の表示が維持されるが、ＳＡ１１の判断が肯定された場合は、ＳＡ１２において、基本画面への復帰が実行され、参照波形が消去される。
【００２３】
自動モードが選択されている場合は、前記ＳＡ２の判断が否定されるので、前記波形異常判定手段５４に対応するＳＡ８において、連続的に入力されている心電誘導波形ＥＣＧ、連続血圧波形ＢＰT、連続血圧波形ＢＰD、炭酸ガス濃度波形ＧCO2、および酸素ガス濃度波形ＧO2のいずれかが予め設定された正常範囲を超える波形となった異常波形であるか否かが判断される。このＳＡ８の判断が否定された場合は本ルーチンが終了させられるが、肯定された場合は、ＳＡ９において、異常波形を表す音声出力が行われた後、ＳＡ１０において、たとえば図３、図４、或いは図５に示すように、異常判定された生体情報波形に対応した参照波形が、参照波形表示場所ＲＤＰ1乃至ＲＤＰ3のいずれかに表示される。本実施例では、上記ＳＡ４、ＳＡ５、ＳＡ１０が前記参照波形表示手段６２に対応している。
【００２４】
次いで、前記ＳＡ６では、ファンクションキー２８の機能を表示する表示場所ＤＦ5に「医療情報」の表示文字が表示されたときのその表示場所ＤＦ5の直下に位置するファンクションキー２８により、医療情報、たとえば対応方法、対処方法、薬剤情報を医療情報表示場所ＩＰに表示させるために入力操作が行われたか否かが判断される。このＳＡ６の判断が否定された場合はＳＡ１１が直接実行されるが、肯定された場合は、ＳＡ７において、参照波形表示場所ＲＤＰ1乃至ＲＤＰ3のいずれかに表示されている参照波形の表示が固定されるとともに、その参照波形が示す症例に関連する医療情報が上記医療情報記憶装置６８（外部記憶装置３０）から読み出されて、前述のように、表示画面２６内の医療情報表示場所ＩＰに表示される。
【００２５】
上述のように、本実施例によれば、手動モードが選択されているとき、たとえば生体情報波形に含まれる不審な波形を認識した監視者により参照波形表示用入力装置６０が操作されると、参照波形表示手段６２（ＳＡ４、ＳＡ５）により、その参照波形表示用入力装置６０の入力操作に応答して参照波形が参照波形記憶装置５８から読み出され、参照波形表示場所ＲＤＰ1乃至ＲＤＰ3に生体情報波形と対比可能に表示させられることから、監視者は、表示装置２４の生体情報波形表示場所ＤＰ1乃至ＤＰ4に表示された実際の生体情報波形と、その表示装置２４の参照波形表示場所ＲＤＰ1乃至ＲＤＰ3にその生体情報波形と対比可能に表示させられた参照波形とを対比して、参照波形に含まれる特徴波形が実際の生体情報波形に存在するか否かを容易に判断できるので、専門的知識を持ち合わせなくてもその生体情報波形から生体の種々の症状を正確に診断できる。
【００２６】
また、本実施例によれば、自動モードが選択されているとき、波形異常判定手段５４（ＳＡ８）により生体情報波形の異常が判定されると、参照波形表示手段６２（ＳＡ１０）により、その波形異常判定手段５４により異常と判定された生体情報波形の異常の内容を診断するために、その異常と判定された生体情報の参照波形がその波形異常判定手段５４の異常判定に応答して参照波形記憶装置５８から読み出され、参照波形表示場所ＲＤＰ1乃至ＲＤＰ3に生体情報波形と対比可能に自動的に表示させられることから、監視者は、表示装置２４の生体情報波形表示場所ＤＰ1乃至ＤＰ4に表示された実際の生体情報波形と、その表示装置２４の参照波形表示場所ＲＤＰ1乃至ＲＤＰ3にその生体情報波形と対比可能に表示させられた参照波形とを対比して、参照波形に含まれる特徴波形が実際の生体情報波形に存在するか否かを容易に判断できるので、専門的知識を持ち合わせなくてもその生体情報波形から生体の種々の症状を正確に診断できる。
【００２７】
また、本実施例によれば、外部記憶装置３０のメモリカード３２は生体情報波形の種類毎に、複数種類の症例を表す複数種類の参照波形を記憶するものであり、参照波形表示用入力装置６０は上記生体情報波形に対応する参照波形を指定入力するものであり、参照波形表示手段６２（ＳＡ５）は、上記メモリカード３２に記憶された参照波形のうちその参照波形表示用入力装置６０により指定された生体情報波形に対応する複数種類の参照波形を、その指定入力操作毎に順次表示させるものであるので、参照波形表示用入力装置６０による指定入力操作毎に生体情報波形の種類毎に存在する複数種類の症例を表す複数種類の参照波形を実際の生体情報波形と順次対比することができる。
【００２８】
また、本実施例によれば、外部記憶装置３０のメモリカード３２は前記生体情報波形の種類毎に、複数種類の症例を表す複数種類の参照波形を記憶するものであり、前記参照波形表示手段６２（ＳＡ１０）は、上記外部記憶装置３０のメモリカード３２に記憶された参照波形のうち波形異常判定手段５４（ＳＡ８）により異常と判定された生体情報波形の種類に対応する複数種類の参照波形を順次表示させるものであるので、指定入力操作を要することなく、異常と判定された生体情報波形の種類に対応する複数種類の参照波形が順次表示させられて、実際の生体情報波形との対比が順次行われる利点がある。
【００２９】
また、本実施例によれば、参照波形表示手段６２（ＳＡ５、ＳＡ１０）は、生体情報波形表示場所ＤＰ1乃至ＤＰ4に隣接して設けられた参照波形表示場所ＲＤＰ1乃至ＲＤＰ3において参照波形を表示させることにより、その参照波形と実際の生体情報波形とを並列表示させるものであるので、参照波形と実際の生体情報波形との対比が容易となる。
【００３０】
また、本実施例によれば、表示装置２４は、生体情報波形表示場所ＤＰ1乃至ＤＰ4において、生体情報波形の時間経過を示す時間軸と生体情報波形の大きさを示す振幅軸とから成る二次元座標内に前記生体情報波形を表示させるものであり、参照波形表示手段６２（ＳＡ５、ＳＡ１０）は、参照波形表示場所ＲＤＰ1乃至ＲＤＰ3において、上記時間軸と平行な時間軸と参照波形の大きさを示す振幅軸とから成る二次元座標内に前記参照波形を表示させることにより、その参照波形と実際の生体情報波形とを対比可能に表示させるものであるので、参照波形と実際の生体情報波形との対比が容易となる。
【００３１】
また、本実施例によれば、参照波形表示手段６２（ＳＡ５、ＳＡ１０）は、生体情報波形表示場所ＤＰ1乃至ＤＰ4に表示された実際の生体情報波形の変化周期に同期した参照波形を、参照波形表示場所ＲＤＰ1乃至ＲＤＰ3に表示させるので、参照波形と実際の生体情報波形との対比が一層容易となる。
【００３２】
また、本実施例によれば、ファンクションキー２８の機能を表示する表示場所ＤＦ5に「医療情報」の表示文字が表示されたときのその表示場所ＤＦ5の直下に位置するファンクションキー２８により、医療情報、たとえば対応方法、対処方法、薬剤情報を医療情報表示場所ＩＰに表示させるために入力操作が行われたとき、医療情報表示手段７０（ＳＡ７）により、そのときの参照波形表示場所ＤＰ1乃至ＤＰ3のいずれかに表示されている参照波形が示す症例に関連する医療情報がメモリーカード３２から読み出されて医療情報表示場所ＩＰに表示されることから、そのときの参照波形の症例に関連する医療情報、たとえば対応方法、処置方法、薬剤情報が表示されるので、専門知識の有無に拘わらず、生体に対する医療処置を正確に行うことができる利点がある。
【００３３】
以上、本発明の一実施例を図面に基づいて説明したが、本発明はその他の態様においても適用される。
【００３４】
たとえば、前述の図６のＳＡ６およびＳＡ７が除去され、それらＳＡ６およびＳＡ７が独立に実行されるものであってもよい。このような実施例では、たとえば、ファンクションキー２８の機能を表示する表示場所ＤＦ5には「薬剤情報」の表示文字が表示され、その表示場所ＤＦ5の直下に位置するファンクションキー２８が押圧操作される毎に、複数種類の薬剤の効能や用法が医療情報表示場所ＩＰに順次表示される。特に新薬の情報が表示されることにより、容易に新薬を医療処置に利用することができるようになる。
【００３５】
また、前述の実施例において、生体情報波形として、心電誘導波形ＥＣＧ、連続血圧波形ＢＰT、連続血圧波形ＢＰD、炭酸ガス濃度波形ＧCO2、および酸素ガス濃度波形ＧO2が用いられていたが、それらのうちの一部であってもよいし、脳波などの他の種類の生体情報波形が用いられてもよい。
【００３６】
また、前述の実施例では、メモリカード３２が装着された外部記憶装置３０に参照波形が記憶されていたが、光ディスクなどの記憶媒体を有する記憶装置、ホストコンピュータなどの外部記憶装置であってもよいし、ＲＯＭ４４内に参照波形が記憶されていても差し支えない。
【００３７】
また、前述の実施例において、参照波形表示用入力装置６０としてファンクションキー２８が用いられていたが、他の入力キー或いは入力装置が用いられても差し支えない。
【００３８】
その他、本発明はその主旨を逸脱しない範囲において種々変更が加えられ得るものである。つまり、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】本発明の一実施例である生体監視装置の構成を示すブロック図である。
【図２】図１の電子制御装置の制御機能の要部を説明する機能ブロック線図である。
【図３】図１の電子制御装置の制御作動によって表示される参照波形を例示する図である。
【図４】図１の電子制御装置の制御作動によって表示される参照波形を例示する図である。
【図５】図１の電子制御装置の制御作動によって表示される参照波形を例示する図である。
【図６】図１の電子制御装置の制御作動の要部を説明するフローチャートである。
【符号の説明】
【００４０】
１０：生体監視装置
１２：心電誘導装置（生体情報波形検出手段）
１４：トノメトリー装置（生体情報波形検出手段）
１６：直接血圧測定装置（生体情報波形検出手段）
１８：カプノメータ（生体情報波形検出手段）
２０：酸素濃度測定装置（生体情報波形検出手段）
３０：外部記憶装置（参照波形記憶装置）
５４：波形異常判定手段
５６：モード判定手段
６０：参照波形表示用入力装置
６２：参照波形表示手段
【図１】
2007090088.tif 000003
【図２】
2007090088.tif 000004
【図３】
2007090088.tif 000005
【図４】
2007090088.tif 000006
【図５】
2007090088.tif 000007
【図６】
2007090088.tif 000008